(57)【特許請求の範囲】
【請求項１】
駆動源と、前記駆動源の作動により回転する回転手段と、発光部材とを備えた遊技機であって、
遊技機に固定される基台部材の表面に、所定の軸周りで揺動可能な揺動部材を取り付けるとともに、前記揺動部材に前記駆動源、前記回転手段、及び前記発光部材を設置する一方、
前記回転手段における前記基台部材との対向面と前記基台部材の表面との何れか一方に、他方側へ突出し、且つ、その頂部と前記一方の面との距離が連続的に変化する壁部を設けるとともに、
前記他方の表面に、前記壁部の頂部と当接する当接部を設けており、
前記駆動源の作動に伴う前記回転手段の回転に応じて、前記当接部が前記頂部上を相対的に移動することにより、前記揺動部材が前記所定の軸周りで揺動することを特徴とする遊技機。
【発明の詳細な説明】
【技術分野】
【０００１】
本発明は、たとえばパチンコ機やスロットマシーン等といった遊技機に関するものである。
【背景技術】
【０００２】
従来、遊技機の一例であるパチンコ機において、ＬＥＤランプ等を備えた発光部材を回動且つ揺動可能に備えてなるものが考案されている。たとえば特許文献１に記載のパチンコ機では、遊技領域の下方位置に、複数の発光部材を、前後方向を中心として回動可能、且つ、上下へ揺動可能に備えており、大当たりやリーチ等の各種演出に応じて発光部材を作動させるようになっている。
【先行技術文献】
【特許文献】
【０００３】
【特許文献１】特開２００８−２６４０２７号公報
【発明の概要】
【発明が解決しようとする課題】
【０００４】
しかしながら、上記特許文献１に記載の発明では、発光部材を回動させるためのモータと揺動させるためのモータとを夫々別のモータとしているため、部品を設置するためのスペースを広く確保する必要がある。したがって、たとえば遊技盤面内等といった部品の設置スペースが限られている場所において、発光部材を回動且つ揺動させることは困難で、何れか一方の動作しか実現できず、演出効果に乏しいという問題があった。
【０００５】
そこで、本発明は、上記問題に鑑みなされたものであって、１つのモータで複数の発光部材を回動且つ揺動させることができ、たとえば部材の設置スペースが制限される遊技盤面内等であっても発光部材を回転且つ揺動させることができる遊技機を提供しようとするものである。
【課題を解決するための手段】
【０００６】
上記目的を達成するために、本発明のうち請求項１に記載の発明は、駆動源と、前記駆動源の作動により回転する回転手段と、発光部材とを備えた遊技機であって、遊技機に固定される基台部材の表面に、所定の軸周りで揺動可能な揺動部材を取り付けるとともに、前記揺動部材に前記駆動源、前記回転手段、及び前記発光部材を設置する一方、前記回転手段における前記基台部材との対向面と前記基台部材の表面との何れか一方に、他方側へ突出し、且つ、その頂部と前記一方の面との距離が連続的に変化する壁部を設けるとともに、前記他方の表面に、前記壁部の頂部と当接する当接部を設けており、前記駆動源の作動に伴う前記回転手段の回転に応じて、前記当接部が前記頂部上を相対的に移動することにより、前記揺動部材が前記所定の軸周りで揺動することを特徴とする。
【０００７】
なお、上記発明において、発光部材を、駆動源の作動に応じて回転可能で、且つ、その照射方向が自身の回転軸から傾斜する姿勢で設けるといった第１の構成を採用することも考えられる。そして、当該第１の構成を採用することにより、１つの駆動源で発光部材の回転及び揺動を実現することができるため、部品点数の削減に伴う装置の小型化を図ることができる。そのため、たとえば遊技領域内に設置されるセンター部材に搭載する等、スペースが制約されるような遊技盤面内等にも設置することができ、従来にない演出を遊技者に提供することができる。
また、上記発明又は第１の構成を採用したものにおいて、前記揺動部材を板状体とし、その一辺を前記基台部材に軸支するとともに、前記揺動部材と前記基台部材とにかけて、軸支した前記一辺に対向する辺側を前記基台部材側へ付勢する付勢部材を取り付けるといった第２の構成を採用することも考えられる。そして、当該第２の構成を採用することにより、壁部の頂部と当接部との当接状態を安定させることができ、揺動部材がガタ付いたりすることなくスムーズに揺動するという効果がある。
また、上記発明や、上記発明に第１の構成と第２の構成との少なくとも何れか一方の構成を採用したものにおいて、前記揺動部材において、前後方向を軸として回転駆動する前記駆動源と、前記駆動源の作動に応じて前後方向を軸として回転する複数の前記回転手段とを左右方向へ連設するとともに、前記発光部材を、前記回転手段よりも上方に設けており、所定の図柄を変動表示可能な図柄表示部の下方において、前記揺動部材を、前記駆動源の作動に伴い、左右方向を軸として上下に揺動するよう前記基台部材に取り付けるといった第２の構成を採用することも考えられる。そして、当該第２の構成を採用することにより、発光部材を上方に露出させるとともに、駆動源や壁部といった揺動機構についてはたとえば装飾用カバー等により被覆した状態で設置することが可能であり、外観の向上を図ることができる。
【発明の効果】
【０００８】
本発明によれば、遊技機に固定される基台部材の表面に、所定の軸周りで揺動可能な揺動部材を取り付けるとともに、揺動部材に駆動源、回転手段、及び発光部材を設置する一方、回転手段における基台部材との対向面と基台部材の表面との何れか一方に、他方側へ突出し、且つ、その頂部と一方の面との距離が連続的に変化する壁部を設けるとともに、他方の表面に、壁部の頂部と当接する当接部を設けており、駆動源の作動に伴う回転手段の回転に応じて、当接部が頂部上を相対的に移動することにより、揺動部材が所定の軸周りで揺動するように構成している。したがって、揺動部材の揺動に応じて、発光部材をも揺動させることができる。
【図面の簡単な説明】
【０００９】
【図１】パチンコ機を前面側から示した説明図である。
【図２】遊技盤を前面側から示した説明図である。
【図３】パチンコ機を後面側から示した説明図である。
【図４】センターカバーの内部を示した説明図である。
【図５】センター部材の装飾用カバー部材を取り外した状態を前面から示した説明図である。
【図６】照明装置のみが取り付けられたケース部材を示した斜視説明図であり、駆動板が最もケース部材に近づいた状態を示している。
【図７】照明装置のみが取り付けられたケース部材を示した斜視説明図であり、駆動板が最もケース部材から遠ざかった状態を示している。
【図８】図６の状態にあるケース部材及び照明装置を左側方から示した説明図である。
【図９】図７の状態にあるケース部材及び照明装置を左側方から示した説明図である。
【図１０】照明装置を後方から示した説明図である。
【図１１】筒状部を有するギアの後面側を示した斜視説明図である。
【図１２】照明装置及びころを後方側から示した斜視説明図である。
【発明を実施するための形態】
【００１０】
以下、本発明の一実施形態となるパチンコ機について、図面にもとづき詳細に説明する。
【００１１】
（パチンコ機全体の説明）
図１は、パチンコ機１を前面側から示した説明図である。また、図２は、遊技盤２を前面側から示した説明図である。さらに、図３は、パチンコ機１を後面側から示した説明図であり、図４は、センターカバー２１の内部を示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１２】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字や絵柄等からなる「図柄」を表示するための図柄表示部６が設けられている。さらに、図柄表示部６を囲むようにセンター部材２５が遊技盤２に設置されており、該センター部材２５には、図柄表示部６における演出等に関連して作動する遊技部材２６、及び後述する照明装置２７が取り付けられている。加えて、遊技領域１６には、一対の爪片を開閉動作可能に備えたチューリップ式電動役物１７、開閉可能な扉部材を有する大入賞装置１８、風車１９や多数の遊技釘等が設置されている。
【００１３】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、図柄表示部６に「図柄」を表示させるための液晶表示装置（図示せず）、遊技に係る主たる制御（たとえば、所謂「大当たり抽選」等）を実行するためのメイン制御装置２０、図柄表示部６における表示動作等を制御する表示制御装置３０、ランプ部材１５や照明装置２７の動作を制御する発光制御装置（図示せず）、及び払出装置１２や表示制御装置３０、スピーカ１４やランプ部材１５等の動作を統合的に制御するサブ制御装置２２等が設置されている。尚、３１は、パチンコ機１をトランスに接続するためのプラグであり、３２は、アースである。
【００１５】
以上のようなパチンコ機１では、遊技者によってハンドル９が回動操作されると、発射装置１０が作動して遊技球が遊技領域１６内へ打ち込まれる。そして、遊技領域１６内を流下する遊技球がチューリップ式電動役物１７へ入賞すると、メイン制御装置２０にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。また、「大当たり状態」を生起させるまでの演出（たとえばリーチ演出）時には、遊技部材２６を作動させるとともに照明装置２７を作動させ、遊技者に「大当たり状態」生起の期待感を抱かせる。
【００１６】
（照明装置の説明）
ここで、本発明の要部となる照明装置２７及び該照明装置２７の駆動機構について、図５〜図１２にもとづき詳細に説明する。
図５は、センター部材２５の装飾用カバー部材を取り外した状態を前面から示した説明図である。図６及び図７は、照明装置２７のみが取り付けられたケース部材５０を示した斜視説明図であり、図６は駆動板４１が最もケース部材５０に近づいた状態を示しており、図７は駆動板４１が最もケース部材５０から遠ざかった状態を示している。図８は、図６の状態にあるケース部材５０及び照明装置２７を左側方から示した説明図であり、図９は、図７の状態にあるケース部材５０及び照明装置２７を左側方から示した説明図である。図１０は、照明装置２７を後方から示した説明図である。図１１は、筒状部４６を有するギア４０ｂの後面側を示した斜視説明図である。図１２は、照明装置２７及びころ４８を後方側から示した斜視説明図である。尚、照明装置２７や駆動機構を構成する各部材の前後左右方向については、遊技盤２への取付姿勢を基準として説明する。また、図６図７、図１０、及び図１２ではバネ部材４９を省略している。
【００１７】
センター部材２５は、遊技部材２６や照明装置２７等を環状に組み付けてなる本体２５ａの前面側を装飾用カバー部材で、後面側をケース部材５０で夫々覆ったものであって、中央に形成される大開口３６は、図柄表示部６を露出させるための窓部として機能する。また、該本体２５ａの上部及び右側部には、サブ制御装置２２による制御のもと、図柄表示部６における演出等に関連づけられて作動する（たとえば、スライドして図柄表示部６の前方位置まで下降する）遊技部材２６が及び該遊技部材２６を作動させるための駆動機構３７が設けられている。さらに、本体２５ａの上部及び左側部には、種々のＬＥＤ部材３３、３４、３５が設置されており、サブ制御装置２２及び発光制御基板による制御のもと、照明装置２７とは独立して点灯及び／又は点灯し、たとえば「大当たり状態」生起の期待感を抱かせるようになっている。
【００１８】
加えて、本体２５ａの下部には、照明装置２７が設けられている。該照明装置２７は、表裏方向がパチンコ機１の前後方向となるような姿勢でケース部材５０に取り付けられる駆動板４１と、該駆動板４１とケース部材５０とを繋ぐバネ部材４９とからなり、駆動板４１には、左右方向に並設された４つの照明部材３９、３９・・と、各照明部材３９に設けられた発光部材４３を回転させるための６つのギア４０ａ、４０ｂ・・４０ｆと、ギア４０ａ〜４０ｆを回転させるためのモータ３８とが備えられている。該駆動板４１は、図１２に示すように、前後一対の板部材４１ａ、４１ｂを組み合わせてなり、板部材４１ａ、４１ｂ間に上記ギア４０ａ〜４０ｆ等を収納する収納空間が形成されている。また、板部材４１ａの上辺部には、後述する照明部材３９を構成するカバー部４２が一体的に設けられている。さらに、板部材４１ｂの上辺部には、発光部材４３のギア部４４を支持する複数の基台４１ｃ、４１ｃ・・が上方へ突設されている。さらにまた、駆動板４１の前面右端部には、ギア４０ａ〜４０ｆを介して発光部材４３、４３・・を回転させるためのモータ３８が設置されており、該モータ３８の軸部に固着された駆動ギア４５が上記収納空間内に収納されている。加えて、駆動板４１の左右両側の上部には、軸部４１ｄが夫々左右外方へ突出されており、駆動板４１は、その上辺部を軸として上下方向へ揺動可能にケース部材５０の前面に取り付けられている。また、駆動板４１の左側の下部には、バネ部材４９を取り付けるための掛止部４１ｅが設けられており、駆動板４１は、バネ部材４９によって揺動方向で下方へ、すなわち下辺部がケース部材５０の前面へ引きつけられる側へと付勢されている。
【００１９】
一方、各照明部材３９は、円筒状のカバー部４２の内部に、発光素子としてのＬＥＤを有する発光部材４３を取り付けてなり、カバー部４２は、その軸方向が駆動板４１の表裏方向に平行となるように設けられている。また、発光部材４３は、その基端部の外周面に、カバー部４２の軸方向（駆動板４１の表裏方向）を中心線とした円周上にギア部４４が周設されており、基台４１ｃの前面上で回転可能とされている。そして、このギア部４４は、後述するギア４０ａ〜４０ｆのうちの所定のギアと噛合されており、発光部材４３は、モータ３８の回転駆動がギア４０ａ〜４０ｆを介して伝わると、駆動板４１の表裏方向を軸として回転するようになっている。加えて、各発光部材４３は、その照射方向が自身の回転軸方向から所定角度ずれるような姿勢で取り付けられている。
【００２０】
また、ギア４０ａ〜４０ｆは、モータ３８の回転駆動を照明部材３９、３９・・に伝えるべく、駆動板４１の収納空間内（照明部材３９、３９・・の下方）に、駆動板４１の表裏方向を軸として回転可能に左右方向へ連設されている。そして、モータ３８に最も近い右端のギア４０ａが右端の照明部材３９のギア部４４及びモータ３８の軸に取り付けられた駆動ギア４５と噛合し、右から２番目のギア４０ｂが右から２番目の照明部材３９のギア部４４及びギア４０ａと噛合している。また、左端のギア４０ｆが左端の照明部材３９のギア部４４と噛合し、左から２番目のギア４０ｅが左から２番目の照明部材３９のギア部４４及びギア４０ｆと噛合している。さらに、ギア４０ｂとギア４０ｅとを繋ぐようにギア４０ｃ及びギア４０ｄが配置されている。したがって、モータ３８が回転駆動し駆動ギア４５が回転すると、当該回転がギア４０ａからギア４０ｆへと順に伝わるとともに、ギア４０ａ〜４０ｆの回転に伴って、各発光部材４３にギア部４４を介して回転が伝わり、ギア４０ａ〜４０ｆの上方で発光部材４３が回転することになる。尚、ギア４０ｂとギア４０ｅとは、同じ周期で回転するようにギア比が調整されている。
【００２１】
そして、上記ギア４０ａ〜４０ｆのうち、ギア４０ｂとギア４０ｅとには照明装置２７を上下に揺動させるための筒状部４６が設けられている。ギア４０ｂとギア４０ｅとは同一に構成されており、ここではギア４０ｂについて説明する。筒状部４６は、ギア４０ｂの後面から後方へ突設された円筒部で、該円筒の中心線はギア４０ｂの軸線と同じとされている。また、筒状部４６の後方側の開口は、円筒の中心線と直交する面から所定角度傾斜した面で切った切り口となっており、ギア４０ｂの後面から開口縁（頂部）までの高さが連続的に変化するようになっている。そして、該筒状部４６は、後側の板部材４１ｂに開設された挿通孔４７を介して、収納空間内から駆動板４１の後方へと突出している。一方、ケース部材５０の筒状部４６の開口縁と対向する位置には、ころ４８が設置されている。該ころ４８は、その外周面がケース部材５０の表面から駆動板４１側へ僅かに突出しており、バネ部材４９の付勢力によって常に筒状部４６の開口縁と当接している。該ころ４８は、筒状部４６と同心円の接線方向へ回転可能に取り付けられており、ギア４０ｂ、４０ｅが回転する際、筒状部４６の開口縁に大きな摩擦がかからないようになっている。
【００２２】
上述したような照明装置２７では、モータ３８が回転駆動すると駆動ギア４５、及びギア４０ａ〜４０ｆを介して、発光部材４３、４３・・が駆動板４１の表裏方向を軸として回転する。また、ギア４０ｂ及び４０ｅが回転することにより、各ころ４８は筒状部４６の開口縁上を相対的に移動する。つまり、ギア４０ｂ及び４０ｅの回転に応じて、各ころ４８との当接位置とギア４０ｂ及び４０ｅの後面までとの距離が連続的に変化する。したがって、駆動板４１は上辺を軸として上下方向へ揺動することになる。
【００２３】
（本実施形態による効果）
以上のような照明装置２７を備えたパチンコ機１によれば、モータ３８と発光部材４３、４３・・とをギア４０ａ〜４０ｆやギア部４４を介して連結することにより、発光部材４３を回転可能としている。また、モータ３８やギア４０ａ〜４０ｆ、発光部材４３、４３・・が取り付けられた駆動板４１を、その上辺を軸として上下方向へ揺動可能にケース部材５０へ取り付けるとともに、ギア４０ｂ、４０ｅに、開口面が回転軸に直交する面から所定角度だけ傾斜した面であり、ギア４０ｂ、４０ｅの表面とその開口縁との距離が連続的に変化する筒状部４６を回転軸と同軸で突設しており、その筒状部４６の開口縁をケース部材５０に取り付けられたころ４８に当接させている。そして、ギア４０ｂ、４０ｅの回転に伴い、筒状部４６の開口縁上をころ４８が相対的に移動することにより、駆動板４１が筒状部４６の開口縁の形状に応じて上下方向へ揺動するように構成している。したがって、１つのモータ３８で発光部材４３の回転及び揺動を実現することができるため、部品点数の削減に伴う装置の小型化を図ることができる。そのため、たとえば遊技領域１６内に設置されるセンター部材２５に搭載する等、スペースが制約される遊技盤２面内においても発光部材４３、４３・・を回転且つ揺動させることができ、従来にない演出を遊技者に提供することができる。
【００２４】
また、駆動板４１とケース部材５０とにわたってバネ部材４９を取り付けており、該バネ部材４９によって、上辺を軸として揺動可能にケース部材５０へ取り付けられている駆動板４１の下辺をケース部材５０側へ付勢している。したがって、筒状部４６とケース部材５０に設けられたころ４８との当接状態を安定させることができ、駆動板４１がガタ付いたりすることなくスムーズに揺動する。
さらに、モータ３８から左右方向へ連設されたギア４０ａ〜４０ｆの上方位置において発光部材４３、４３・・のギア部４４、４４・・を噛合させるとともに、ギア４０ｂ、４０ｅに筒状部４６を形成してなる駆動板４１を、図柄表示部６の下方において、左右方向を軸として上下に揺動するように設置している。したがって、モータ３８、筒状部４６、筒状部４６の開口縁が当接するころ４８やバネ部材４９等といった揺動機構を発光部材４３、４３・・よりも下方に纏めるられているため、発光部材４４、４４・・のみを上方に露出させ、揺動機構については装飾用カバー等により被覆した状態で設置することが可能であり、外観の向上を図ることができる。
【００２５】
（本発明の変更例）
なお、本発明の遊技機に係る構成は、上記実施形態に何ら限定されるものではなく、遊技機の全体的な構成は勿論のこと、照明装置の設置位置、照明装置を揺動させるための構成等についても、本発明の趣旨を逸脱しない範囲で必要に応じて適宜変更可能である。
【００２６】
たとえば、上記実施形態では、駆動板４１を、その表裏方向がパチンコ機１の前後方向となるような姿勢で取り付けているが、その表裏方向がパチンコ機１の上下方向となるような姿勢で取り付け、駆動板４１を、その前辺若しくは後辺を軸として上下方向へ揺動させるような構成としてもよいし、その表裏方向がパチンコ機１の左右方向となるような姿勢で取り付け、駆動板４１をその前辺若しくは後辺を軸として左右方向へ揺動させるような構成としてもよい。さらに、上記実施形態では、ケース部材５０の表面に沿った平面内に駆動板４１の軸を設定しているが、たとえばケース部材５０の底面と側面とにかけて駆動板４１を架設する等、駆動板４１の軸がケース部材５０の表面に沿った平面内にはないように構成することも可能である。
また、照明部材３９やギア４０ａ〜４０ｆの設置数や設置位置等についても適宜変更可能であって、上記実施形態の態様に何ら限定されることはない。さらに、照明装置２７を複数設けることも可能であるし、遊技領域１６の外側や前扉４のランプ部材１５に代えて照明装置２７を設置してもよく、照明装置２７の数や設置位置についても上記実施形態の態様に何ら限定されない。
【００２７】
さらに、バネ部材４９については、必要なければ設けずともよいし、駆動板４１の左右両側に２つ設けても何ら問題はないし、上記実施形態ではギア４０ｂ、４０ｅに設けている筒状部４６を、発光部材４３のギア部４４の後面に形成することも可能である。
さらにまた、ころ４８の代わりに、ケース部材５０の表面に筒状部４６の開口縁に当接する突起を形成してもよいし、筒状部４６の開口縁の形状についても適宜変更可能であし、筒状部４６の代わりにギア４０ｂ、４０ｅの表面と頂部との距離が連続的に変化する円弧状のリブを設けて構成することも可能である。またさらに、上記実施形態では、ギア４０ｂ、４０ｅに筒状部４６を、ケース部材５０にころ４８を夫々設けているが、逆にケース部材５０の表面に頂部とケース部材５０までとの距離が連続的に変化する壁部を設けるとともに、ギア４０ｂ、４０ｅの表面（たとえば偏心位置）に、壁部の頂部と当接する凸部を設けて構成することも可能である。
加えて、上記実施形態では、遊技機の一例であるパチンコ機について説明しているが、斜め方向へ移動する遊技部材をスロットマシーン等の他の遊技機に適用しても何ら問題はない。
【符号の説明】
【００２８】
１・・パチンコ機（遊技機）、２・・遊技盤、２５・・センター部材、２７・・照明装置、３８・・モータ、３９・・照明部材、４０ａ〜４０ｆ・・ギア、４１・・駆動板（揺動部材）、４１ａ、４１ｂ・・板部材、４１ｃ・・基台、４１ｄ・・軸部、４１ｅ・・掛止部、４２・・カバー部、４３・・発光部材、４４・・ギア部、４５・・駆動ギア、４６・・筒状部（壁部）、４７・・挿通孔、４８・・ころ（凸部）、４９・・バネ部材（付勢部材）、５０・・ケース部材（基台部材）。
【図１】
0005853269.tif 000002
【図２】
0005853269.tif 000003
【図３】
0005853269.tif 000004
【図４】
0005853269.tif 000005
【図５】
0005853269.tif 000006
【図６】
0005853269.tif 000007
【図７】
0005853269.tif 000008
【図８】
0005853269.tif 000009
【図９】
0005853269.tif 000010
【図１０】
0005853269.tif 000011
【図１１】
0005853269.tif 000012
【図１２】
0005853269.tif 000013